(57)【要約】【課題】ユーザにとっての利便性が高く、かつ生産性が高いシリンダ錠を提供できるようにする。【解決手段】鍵の挿入部１９１が時計回りに９０°回転された場合、サイドバー１５１−１は、鍵の挿入方向と直交する方向であって、シリンダ錠の内側方向に移動しているが、サイドバー１５１−２は、シリンダ錠の内側方向に移動しておらず、外周シリンダ１０１の内面の凹部１０１ｄ−３と嵌合している。サイドバー１５１−２は、鍵の挿入方向と直交する方向であって、外周シリンダ１０１の内面に設けられた凹部と嵌合する方向に付勢されているので、シリンダ錠が解錠されたときになされる、サイドバー１５１−２と凹部１０１ｄ−３との嵌合が、鍵を通してユーザの手にクリック感として伝わってくる。また、解錠された状態で内周シリンダ１０３や鍵の位置が安定し、シリンダ錠が解錠された場合の電気信号の出力状態を安定的に保持できる。【選択図】図１６
2008303611.tif 000002
【特許請求の範囲】
【請求項１】
シリンダに挿入された鍵の挿入部に設けられたキーコードに応じて、前記鍵の挿入方向と直交する第１の方向に移動させられるプレートと、
前記シリンダに取り付けられ、前記プレートが前記第１の方向の所定の位置に移動させられた場合、前記第１の方向と直交する第２の方向に移動可能となるサイドバーと、
前記シリンダの外周に設けられたカバーとを備え、
前記カバーの内面において、施錠されているとき前記サイドバーと当接する位置に第１の溝が設けられ、
前記カバーの内面において、解錠されているとき前記サイドバーと当接する位置に第２の溝が設けられている
シリンダ錠。
【請求項２】
前記サイドバーは、前記シリンダの回動位置に応じて、前記プレートを前記鍵の挿入方向に移動させ、
前記プレートが前記鍵の挿入方向の所定の位置に移動させられたとき、前記キーコードのリセットが可能となる
請求項１に記載のシリンダ錠。
【請求項３】
前記プレートは、前記鍵の挿入部と当接する開閉プレートと、前記サイドバーと当接するタンブラプレートにより構成され、
前記開閉プレートと前記タンブラプレートは、それぞれ穴とピンとにより係合し、
前記開閉プレートと前記タンブラプレートの係合が解除されることで前記キーコードのリセットが可能となる
請求項２に記載のシリンダ錠。
【請求項４】
前記鍵のキーコードは、前記鍵の挿入部における鍵の挿入方向に向かって左右両面の形状により特定され、
前記プレートと前記サイドバーは、前記鍵が挿入される鍵穴の中心において線対称となる位置にそれぞれ設けられる
請求項１に記載のシリンダ錠。
【請求項５】
前記第１の溝は、前記カバーの内面において、施錠されているとき、前記線対称となる位置に設けられた前記サイドバーのそれぞれと当接する位置に２つ設けられ、
前記第２の溝は、前記カバーの内面において、解錠されているとき、前記線対称となる位置に設けられた前記サイドバーのうちのいずれか一方と当接する位置に１つ設けられる
請求項４に記載のシリンダ錠。
【発明の詳細な説明】
【技術分野】
【０００１】
本発明は、シリンダ錠に関し、特に、ユーザにとっての利便性が高く、かつ生産性が高いシリンダ錠を提供できるようにするシリンダ錠に関する。
【背景技術】
【０００２】
遊技場の遊技機、いわゆる、パチンコ店のパチンコ台などには、第三者による、不正な操作を防止するためにシリンダ錠が用いられている。一方、遊技場側が遊技機を容易に管理することができるようにするため、１つの遊技場においては、１つの鍵で、それぞれの遊技機に設けられたシリンダ錠を施錠または開錠（解錠）できることが要求される。
【０００３】
シリンダ錠の鍵を紛失したり、不正に合鍵を作成された場合、または、不正に解錠される恐れが生じた場合、シリンダ錠を他の鍵で施錠または解錠できるものに取り替えなければならなかった。この場合、１つの鍵で施錠または解錠できるシリンダ錠を新たに多数準備すると、多額の費用がかかってしまう。また、シリンダ錠の取替え作業にも手間と時間がかかってしまっていた。
【０００４】
また、遊技機を新たに購入した場合、遊技機に設けられたシリンダ錠を、既に使用されている鍵で、施錠または開錠（解錠）できるようにすることが必要であり、施錠または解錠できる鍵を自由に変更可能なシリンダ錠、すなわちキーコードをリセットできるシリンダ錠も実用化されている。
【０００５】
このようなシリンダ錠は、例えば、遊技機の扉の開け閉めに用いられるのみでなく、他の用途にも用いられている。
【０００６】
例えば、遊技場に設置されているスロット遊技台などの遊技機においては、事前に、いわゆる「当たり」の出る確率などを変更する遊技場の運営上重要な設定を行う必要がある。このような重要な設定の操作を行う場合、当然、遊技場の担当者が、予め許可されたタイミングで、予め許可された設定を行うことが求められる。例えば、不正に、重要な設定の操作が行われた場合、遊技場の顧客がスロット遊技台などで行うゲームの結果が、予め想定していたものと大きく異なったものとなり、その結果、遊技場の営業などに多大な影響が出てしまう。
【０００７】
そこで、このような重要な設定の操作を行う場合、予め鍵によるシリンダ錠の解錠操作を行い、シリンダ錠が解錠された場合のみ、所定の電気信号が出力されるようにし、設定の操作が可能となるようにされている場合もある。
【０００８】
解錠された場合のみ、所定の電気信号が出力されるシリンダ錠においては、実際に扉の鍵などが解施錠されることがなく、ユーザは、鍵を回動させたときに発せられる音や振動などを通じてシリンダ錠が解錠されたことを実感しにくい。
【０００９】
このため、このようなシリンダ錠においては、解施錠されたときに、鍵を通してユーザの手に伝わってくるクリック感が重要となる。また、シリンダ錠が解錠された場合の電気信号の出力状態を保持するため、解錠された状態で内周シリンダや鍵などの位置を安定させることも重要となる。
【００１０】
解施錠されたときに、クリック感を得られるようにするために、例えば、内周シリンダの内部にラチェットボールとバネを組み込んで、内周シリンダが解施錠される位置まで回動されたときに、ラチェットボールが外周シリンダの内側の穴や溝などに落ちるようにすることが提案されている（例えば、特許文献１参照）。
【００１１】
また、錠の固定本体の先端部にガイドプレートを回転不能に固定し、ガイドプレートの円周方向にクリック穴を設け、固定本体に支持された回転体の先端部に板バネを回転不能に固着し、クリック穴に係脱するクリック突起を板バネに設けることでクリック感を得られるようにすることも提案されている（例えば、特許文献２参照）。
【特許文献１】特開２００７−７７６４８号公報
【００１２】
【特許文献２】特開平１０−１２１７９８号公報
【発明の開示】
【発明が解決しようとする課題】
【００１３】
しかしながら、特許文献１または特許文献２の方式では、クリック感を得るためのみに部品数が増加してしまい、生産性が低下してしまう。また、特許文献１または特許文献２の方式では、解錠された状態で内周シリンダや鍵などの位置を安定させることも困難であり、シリンダ錠が解錠された場合の電気信号の出力状態を安定的に保持できない。
【００１４】
本発明は、このような状況に鑑みてなされたものであり、ユーザにとっての利便性が高く、かつ生産性が高いシリンダ錠を提供できるようにするものである。
【課題を解決するための手段】
【００１５】
本発明によるシリンダ錠は、シリンダに挿入された鍵の挿入部に設けられたキーコードに応じて、前記鍵の挿入方向と直交する第１の方向に移動させられるプレートと、前記シリンダに取り付けられ、前記プレートが前記第１の方向の所定の位置に移動させられた場合、前記第１の方向と直交する第２の方向に移動可能となるサイドバーと、前記シリンダの外周に設けられたカバーとを備え、前記カバーの内面において、施錠されているとき前記サイドバーと当接する位置に第１の溝が設けられ、前記カバーの内面において、解錠されているとき前記サイドバーと当接する位置に第２の溝が設けられている。
【００１６】
本発明の第１のシリンダ錠においては、シリンダに挿入された鍵の挿入部に設けられたキーコードに応じて、前記鍵の挿入方向と直交する第１の方向にプレートが移動させられ、前記シリンダに取り付けられたサイドバーが、前記プレートが前記第１の方向の所定の位置に移動させられた場合、前記第１の方向と直交する第２の方向に移動可能とされ、前記シリンダの外周に設けられたカバーの内面において、施錠されているとき前記サイドバーと当接する位置に第１の溝が設けられ、前記カバーの内面において、解錠されているとき前記サイドバーと当接する位置に第２の溝が設けられている。
【００１７】
従って、シリンダ錠が解錠されたとき、クリック感を得ることができ、かつ部品数を削減することができる。また、解錠された状態で内周シリンダや鍵などの位置を安定させることもでき、シリンダ錠が解錠された場合の電気信号の出力状態を安定的に保持できる。
【００１８】
前記サイドバーは、前記シリンダの回動位置に応じて、前記プレートを前記鍵の挿入方向に移動させ、前記プレートが前記鍵の挿入方向の所定の位置に移動させられたとき、前記キーコードのリセットが可能となるようにすることができる。
【００１９】
前記プレートは、前記鍵の挿入部と当接する開閉プレートと、前記サイドバーと当接するタンブラプレートにより構成され、前記開閉プレートと前記タンブラプレートは、それぞれ穴とピンとにより係合し、前記開閉プレートと前記タンブラプレートの係合が解除されることで前記キーコードのリセットが可能となるようにすることができる。
【００２０】
従って、耐久性の高いシリンダ錠を低コストで形成することができる。
【００２１】
前記鍵のキーコードは、前記鍵の挿入部における鍵の挿入方向に向かって左右両面の形状により特定され、前記プレートと前記サイドバーは、前記鍵が挿入される鍵穴の中心において線対称となる位置にそれぞれ設けられるようにすることができる。
【００２２】
従って、小型のシリンダ錠であっても、設定可能なキーコードの数を増やすことができる。
【００２３】
前記第１の溝は、前記カバーの内面において、施錠されているとき、前記線対称となる位置に設けられた前記サイドバーのそれぞれと当接する位置に２つ設けられ、前記第２の溝は、前記カバーの内面において、解錠されているとき、前記線対称となる位置に設けられた前記サイドバーのうちのいずれか一方と当接する位置に１つ設けられるようにすることができる。
【発明の効果】
【００２４】
本発明によれば、シリンダ錠を提供することができる。特に、ユーザにとっての利便性が高く、かつ生産性が高いシリンダ錠を提供できる。
【発明を実施するための最良の形態】
【００２５】
以下に、本発明の実施の形態について図面を参照して説明する。
【００２６】
図１および図２は、本発明を適用したシリンダ錠１００の外観の例を示している。図１は、シリンダ錠１００の前端部側の外観の斜視図である。図２は、シリンダ錠１００の後端部側の外観の斜視図である。
【００２７】
シリンダ錠１００の、外周シリンダ１０１の内側には、正規の鍵が挿入された場合に、鍵と共に回動する内周シリンダ１０３が設けられている。内周シリンダ１０３が外周シリンダ１０１の内側に配置された状態において、内周シリンダ１０３に設けられた、鍵の挿入部が挿入される鍵穴１０３ａは、外周シリンダ１０１から外部に露出する。すなわち、外周シリンダ１０１が内周シリンダ１０３の外周を覆うように（カバーのように）設けられている。
【００２８】
また、外周シリンダ１０１の前方の端面には、切り込み１０１ｈ−１および切り込み１０１ｈ−２が設けられている。鍵の挿入部が外周シリンダの切り込み１０１ｈ−１または切り込み１０１ｈ−２に対応する位置にない場合、鍵の挿入部の抜き差しができないようになされている。
【００２９】
シリンダ錠１００を解錠する場合、鍵穴１０３ａに鍵の挿入部を挿入し、例えば、時計回りに９０°回転させる。また、シリンダ錠１００において、後述するようにキーコードをリセットする場合、鍵穴１０３ａに鍵の挿入部を挿入し、例えば、反時計回りに１３５°回転させる。
【００３０】
また、外周シリンダ１０１の後部には、スイッチケース１０２が設けられており、外周シリンダ１０１とスイッチケース１０２は、ピン１０５−１およびピン１０５−１の反対側にあるピン１０５−２により互いに固定されている。スイッチケース１０２は、シリンダ錠１００が解錠されたとき、解錠されたことを表す電気的信号を生成するスイッチ１１４が内部に取り付けられており、スイッチケース１０２の後部において露出するスイッチ１１４のコネクタ１１４ａが、例えば、遊技機の電源ユニットなどの所定の部位に接続されて、シリンダ錠１００が解錠されたことを表す電気的信号を、電源ユニットなどに供給する。
【００３１】
図３は、シリンダ錠１００の構成を示す斜視図である。同図に示されるように、内周シリンダ１０３は、外周シリンダ１０１の内側に挿入されるように構成されており、外周シリンダ１０１の内部で回動可能となるように構成されている。また、内周シリンダ１０３は、後部（図中鍵穴１０３ａと反対側）に、ラチェットディスク１１１の凸部１１１ａと嵌合する形状の凹部を有しており、自身の回動に伴ってラチェットディスク１１１を回動させる。
【００３２】
スイッチシリンダ１１３は、スイッチケース１０２の内部に挿入されるように構成されており、スイッチケース１０２の内部で回動可能となるように構成されている。スイッチシリンダ１１３は、ラチェットディスク１１１と係合する形状とされており、内周シリンダ１０３が回動された場合、ラチェットディスク１１１とともにスイッチシリンダ１１３も回動するようになされている。また、スイッチシリンダ１１３は、スイッチケース１０２の内部に挿入された状態において、バネ１１２により、スイッチ１１４側に付勢される。
【００３３】
スイッチシリンダ１１３の後部（スイッチ１１４側）の面には、所定の位置に凸部が設けられており、スイッチシリンダが所定の角度だけ回転されたとき、スイッチシリンダ１１３の後部の面の凸部がスイッチ１１４の凸部１１４ｂと当接することにより、スイッチ１１４の凸部１１４ｂが押圧されてスイッチ１１４のコネクタ１１４ａから電気信号が出力されるようになされている。
【００３４】
また、ここでは図示されていないが、内周シリンダ１０３の後部の形状は、スイッチケース１０２の前端部の形状と対応して、内周シリンダ１０３の回動を規制するようになされている。例えば、シリンダ錠１００を施錠した状態から内周シリンダ１０３が右方向（時計回り）に９０°回転された場合において、内周シリンダ１０３の後部に設けられた凸部がスイッチケース１０２の前端部に設けられた凸部と当接し、内周シリンダ１０３がそれ以上右方向に回転することが抑止されるようになされている。
【００３５】
なお、シリンダ錠１００を小型化するためには、スイッチ１１４の凸部１１４ｂも充分に小さくする必要があり、例えば、スイッチシリンダ１１３などの大きさや形状に鍵の挿入方向の誤差（ガタ）が生じた場合、スイッチシリンダ１１３の後部の面の凸部がスイッチ１１４の凸部１１４ｂと適確に当接せず、シリンダ錠１００が解錠されたにもかかわらず、コネクタ１１４ａから電気信号が出力されなくなってしまうことが懸念される。本発明のシリンダ錠１００においては、スイッチシリンダ１１３は、スイッチケース１０２の内部に挿入された状態において、バネ１１２により、スイッチ１１４側に付勢されるようにしたので、シリンダ錠を構成する部品にガタがあった場合でもスイッチシリンダ１１３の後部の面の凸部がスイッチ１１４の凸部１１４ｂと適確に当接するようにすることができる。
【００３６】
スイッチケース１０２は、前方の円周状の端部１０２ｃが内周シリンダ１０３に当接するとともに、その外側の面が外周シリンダ１０１の内側の面と当接するように構成されており、内部にスイッチ１１４が取り付けられるように構成されている。また、スイッチケース１０２の前方の円周状の端部１０２ｃ上に設けられた穴１０２ｆは、シリンダ錠１００がリセットされるとき、後述するようにサイドバー１５１−１の後方（スイッチケース１０２側）の端部が挿入される穴とされる。
【００３７】
スイッチ１１４は、スイッチケース１０２の内部に挿入された状態で、ピン１１５−１とピン１１５−２が、それぞれ穴１１４ｃと穴１１４ｄに挿入されることでスイッチケース１０２に固定されるようになされている。スイッチケース１０２は、前方が円形に構成されているが、後方は矩形の面を有するように構成されているので、ピン１１５−１とピン１１５−２により、スイッチ１１４を確実に、かつ簡単に固定することができる。
【００３８】
また、同図に示されるように内周シリンダ１０３には、開閉プレート１３１−１乃至１３１−４、およびタンブラプレート１３３−１乃至１３３−４、並びに開閉プレート１３１−２１乃至１３１−２４、およびタンブラプレート１３３−２１乃至１３３−２４が取り付けられる。
【００３９】
開閉プレート１３１−１乃至１３１−４のそれぞれは、その内周シリンダ１０３に対する位置によって、内周シリンダ１０３の回動を可能にするか、または回動を抑制するように動作する。開閉プレート１３１−１乃至１３１−４はそれぞれ、係合穴によってタンブラプレート１３３−１乃至１３３−４と係合する。
【００４０】
例えば、開閉プレート１３１−１の図中上部には、３つの穴により構成される係合穴１３１−１ａが設けられており、図中下部には、やはり３つの穴で構成される係合穴１３１−１ｂが設けられている。一方、タンブラプレート１３３−１には、係合穴１３１−１ａのいずれか１つの穴に係合する径をもつ係合ピン１３３−１ｂ、および係合穴１３１−１ｂのいずれか１つの穴に係合する径をもつ係合ピン１３３−１ｃが設けられている。
【００４１】
従って、係合ピン１３３−１ｂおよび係合ピン１３３−１ｃが、それぞれ係合穴１３１−１ａおよび係合穴１３１−１ｂのいずれか１つの穴に係合することにより、開閉プレート１３１−１とタンブラプレート１３３−１が係合する。そして、開閉プレート１３１−１とタンブラプレート１３３−１が係合することにより、開閉プレート１３１−１とタンブラプレート１３３−１の図中上下方向の位置が決まる。ここで上下方向とは、内周シリンダ１０３において鍵が挿入される方向と直交する方向であって、開閉プレート１３１−１において係合穴１３１−１ａまたは係合穴１３１−１ｂで示される３つの穴が並べられる方向である。
【００４２】
この例では、係合穴１３１−１ａおよび係合穴１３１−１ｂはそれぞれ３つの穴により構成されているので、開閉プレート１３１−１とタンブラプレート１３３−１の図中上下方向の位置は、３通りのうちのいずれかとなる。
【００４３】
また、開閉プレート１３１−１は、図中上下方向には移動可能となるが、鍵の挿入方向に移動できないように、内周シリンダ１０３に取り付けられる。一方、タンブラプレート１３３−１は、内周シリンダ１０３に取り付けられた状態で、開閉プレート１３１−１の移動に伴って、図中上下方向に移動可能であり、かつサイドバー１５１−１の移動に伴って、鍵の挿入方向にも移動可能となるようになされている。従って、サイドバー１５１−１を鍵の挿入方向に移動させることで、上述した係合ピン１３３−１ｂおよび係合ピン１３３−１ｃと、係合穴１３１−１ａおよび係合穴１３１−１ｂとの係合、すなわち開閉プレート１３１−１とタンブラプレート１３３−１との係合を解除したり、また、再び係合させたりすることができるようになされている。
【００４４】
ここでは、開閉プレート１３１−１とタンブラプレート１３３−１の係合について説明したが、他の開閉プレートとタンブラプレートも開閉プレート１３１−１とタンブラプレート１３３−１の場合と同様に係合する。シリンダ錠１００においては、このように、開閉プレートとタンブラプレートの図中上下方向の位置が決まることによって、キーコードが決められることになる。すなわち、開閉プレート１３１−１乃至１３１−４とタンブラプレート１３３−１乃至１３３−４をそれぞれ係合させることにより、８１通り（＝３4）のキーコードが設定可能となる。
【００４５】
開閉プレート１３１−２１乃至１３１−２４、およびタンブラプレート１３３−２１乃至１３３−２４のそれぞれは、開閉プレート１３１−１乃至１３１−４、およびタンブラプレート１３３−１乃至１３３−４と同様の構成とされ、内周シリンダ１０３の鍵穴１０３ａを中心として、開閉プレート１３１−１乃至１３１−４、およびタンブラプレート１３３−１乃至１３３−４と向かい合うように取り付けられる。
【００４６】
すなわち、開閉プレート１３１−２１乃至１３１−２４、およびタンブラプレート１３３−２１乃至１３３−２４のそれぞれは、開閉プレート１３１−１乃至１３１−４、およびタンブラプレート１３３−１乃至１３３−４と、鍵穴１０３ａの中心位置において線対称となる位置に設けられている。つまり、内周シリンダ１０３の鍵穴１０３ａの左右両側の開閉プレートとタンブラプレートのそれぞれは、内周シリンダ１０３の回転軸を通る上下方向の線分に関して対称となる位置に取り付けられている。
【００４７】
したがって、シリンダ錠１００においては、開閉プレート１３１−１乃至１３１−４とタンブラプレート１３３−１乃至１３３−４をそれぞれ係合させ、さらに開閉プレート１３１−２１乃至１３１−２４とタンブラプレート１３３−２１乃至１３３−２４をそれぞれ係合させることにより、６５６１通り（＝３8）のキーコードが設定可能となる。
【００４８】
シリンダ錠１００を解錠または施錠する鍵においては、鍵穴１０３ａに挿入される挿入部の両面に、それぞれ開閉プレート１３１−１乃至１３１−４の凸部と開閉プレート１３１−２１乃至１３１−２４の凸部が挿入される溝が設けられている。そして、鍵の挿入部の溝の形状に従って、開閉プレート１３１−１乃至１３１−４および開閉プレート１３１−２１乃至１３１−２４の上下方向の位置が定まることになる。
【００４９】
このように、シリンダ錠１００を解錠または施錠する鍵においては、鍵の挿入部の両面に設けられた溝のそれぞれの形状がキーコードとなる。
【００５０】
例えば、開閉プレートとタンブラプレートが、シリンダ錠の奥行方向に一列に並べられて構成されている場合、キーコードを増やそうとすると、開閉プレートとタンブラプレートをシリンダ錠の奥行にさらに追加する必要があり、その結果、シリンダ錠の奥行方向の長さがさらに長くなってしまうが、本発明のシリンダ錠１００においては、開閉プレート１３１−２１乃至１３１−２４、およびタンブラプレート１３３−２１乃至１３３−２４のそれぞれが、開閉プレート１３１−１乃至１３１−４、およびタンブラプレート１３３−１乃至１３３−４と鍵穴１０３ａの中心位置において線対称となる位置に取り付けられるので、シリンダ錠の大きさ（長さ）を変えることなく、キーコードを増やすことが可能となる。
【００５１】
サイドバー１５１−１は、サイドバー用バネ１５２−１およびサイドバー用バネ１５２−２によって、外周シリンダ１０１の内面に押圧される。サイドバー１５１−１または１５１−２は、外周シリンダ１０１の内面に設けられた凹部と噛み合うか、またはその噛み合いが外れることにより、外周シリンダ１０１に対する内周シリンダ１０３の回動を規制する。
【００５２】
サイドバー１５１−１は、内周シリンダ１０３に設けられた図示せぬサイドバー用孔に沿って、鍵の挿入方向と直交する方向に移動可能な構造とされている。シリンダ錠１００が解錠可能となる状態においては、サイドバー１５１−１の一部がタンブラプレート１３３−１乃至１３３−４の凹部１３３−１ａ乃至１３３−４ａ（ここでは、１３３−１ａのみ図示）に嵌合することにより、サイドバー１５１−１が鍵の挿入方向と直交する方向であって、シリンダ錠１００の内側方向（内周シリンダ１０３の回転軸に近づく方向）に移動する。その結果、外周シリンダ１０１の内面に設けられた凹部とサイドバー１５１−１との嵌合が解除され、内周シリンダ１０３は回動可能となる。
【００５３】
一方、シリンダ錠１００が施錠された状態においては、サイドバー１５１−１は、１３３−１乃至１３３−４いずれかの、凹部１３３−１ａ乃至１３３−４ａ以外の側面に当接するので、サイドバー１５１−１は、鍵の挿入方向と直交する方向であって、シリンダ錠１００の内側方向に移動できず、その結果、外周シリンダ１０１の内面に設けられた凹部とサイドバー１５１−１との嵌合は解除されず、内周シリンダ１０３は回動不可能となる。
【００５４】
なお、サイドバー１５１−１は、上述のようにサイドバー用バネ１５２−１およびサイドバー用バネ１５２−２により、通常、鍵の挿入方向と直交する方向であって、シリンダ錠１００の外側方向、すなわち外周シリンダ１０１の内面に設けられた凹部と嵌合する方向に付勢されている。
【００５５】
また、サイドバー１５１−１は、内周シリンダ１０３に設けられたサイドバー用孔に沿って、鍵の挿入方向に移動可能な構造とされている。シリンダ錠１００のキーコードをリセットする状態においては、サイドバー１５１−１が鍵の挿入方向であって、シリンダ錠１００の後方（スイッチケース１０２側）に移動する。その結果、サイドバー１５１−１の移動に伴って、タンブラプレート１３３−１乃至１３３−４も鍵の挿入方向に移動し、開閉プレート１３１−１乃至１３１−４とタンブラプレート１３３−１乃至１３３−４との係合がそれぞれ解除されることでキーコードがリセットされる。
【００５６】
なお、上述のように、サイドバー１５１−１が鍵の挿入方向と直交する方向に移動する場合、タンブラプレート１３３−１乃至１３３−４の位置は変化しないようになされている。また、サイドバー１５１−１が鍵の挿入方向に移動する場合、タンブラプレート１３３−１乃至１３３−４は、サイドバー１５１−１の移動に伴って、鍵の挿入方向に移動するようになされている。タンブラプレート１３３−１乃至１３３−４のそれぞれは、例えば、サイドバー１５１−１に設けられた図示せぬタンブラプレート用孔などに嵌合するように構成され、サイドバー１５１−１の移動に伴って、鍵の挿入方向にも移動可能となるように構成されている。
【００５７】
一方、開閉プレート１３１−１乃至１３１−４のそれぞれは、例えば、内周シリンダ１０３に設けられた図示せぬ開閉プレート用孔などに嵌合するように構成され、鍵の挿入方向には移動できないように構成されている。
【００５８】
したがって、サイドバー１５１−１が鍵の挿入方向であって、シリンダ錠１００の後方（スイッチケース１０２側）に移動した場合、サイドバー１５１−１の移動に伴って、タンブラプレート１３３−１乃至１３３−４も鍵の挿入方向に移動し、開閉プレート１３１−１乃至１３１−４とタンブラプレート１３３−１乃至１３３−４との係合がそれぞれ解除されることになる。
【００５９】
また、サイドバー１５１−１は、サイドバー用バネ１５２−３により、通常、鍵の挿入方向であって、シリンダ錠１００の後方（スイッチケース１０２側）に付勢されており、後述する外周シリンダ１０１の正面裏側の形状と、スイッチケース１０２の前端面の形状に従って鍵の挿入方向に移動する。
【００６０】
ここでは、サイドバー１５１−１の動作について説明したが、サイドバー１５１−２についても同様に動作する。ただし、サイドバー１５１−２の場合、シリンダ錠１００のキーコードをリセットするときの移動方向がサイドバー１５１−１の場合と異なる。すなわち、サイドバー１５１−２は、サイドバー用バネ１５２−１３により、通常、鍵の挿入方向であって、シリンダ錠１００の前方に付勢されており、シリンダ錠１００のキーコードをリセットする状態においては、サイドバー１５１−１が鍵の挿入方向であって、シリンダ錠１００の前方に移動し、その結果、開閉プレート１３１−２１乃至１３１−２４とタンブラプレート１３３−２１乃至１３３−２４との係合がそれぞれ解除されることでキーコードがリセットされる。
【００６１】
安定ピン１７１は、内周シリンダ１０３の穴１０３ｂに挿入される。安定ピン１７１は、内周シリンダ１０３が外周シリンダ１０１の内部に挿入された状態において、バネ１７２により図中下方向に付勢され、安定ピン１７１の端部１７１ａが内周シリンダ内の鍵穴１０３ａに突出するようになされている。そして、端部１７１ａが鍵穴１０３ａに挿入された鍵の挿入部の図中上側の端面に当接して、鍵穴１０３ａに鍵の挿入部が挿入された状態で安定させるようになされている。
【００６２】
鍵の挿入部は、鍵穴１０３ａに挿入されるので、鍵穴１０３ａよりやや小さくなるように構成される必要がある。このため、鍵の挿入部が鍵穴１０３ａに挿入された状態で、その挿入部が図中上下方向に微動することがあるが、その場合、鍵の挿入部の図中上下方向の動きに伴って開閉プレートも上下方向に移動してしまい、その結果、開閉プレートと係合しているタンブラプレートの図中上下方向の位置がサイドバーの位置とずれてしまい、シリンダ錠を解錠できなくなる。
【００６３】
本発明のシリンダ錠１００においては、バネ１７２により図中下方向に付勢された安定ピン１７１の端部１７１ａが鍵の挿入部の図中上側の端面に当接して、鍵の挿入部を図中下方向に付勢するので鍵の挿入部が図中上下方向に微動することを抑止できる。なお、バネ１７２は、穴１０３ｂに挿入された後、穴１０３ｂから突出することがないように加工されるなどして係止されるので、内周シリンダ１０３が回動しているときも、端部１７１ａが鍵の挿入部の図中上側の端面に当接して、鍵の挿入部を付勢し続けることになる。
【００６４】
鍵の挿入部が図中上下方向に微動することを抑止するために、例えば、開閉プレートのそれぞれをバネなどで付勢してもよいが、その場合、開閉プレートの数に対応するバネを内周シリンダに取り付ける必要があり、部品数が増加してしまう。また、開閉プレートのそれぞれがバネなどで付勢されていると、鍵の挿入部と当接する開閉プレートの凸部が、摩耗してしまうおそれがあり、シリンダ錠の耐久性が低下してしまう。
【００６５】
本発明のシリンダ錠１００においては、開閉プレートのそれぞれを付勢するバネなどは不要であり、部品数を少なくすることが可能となり、また、耐久性を維持させることも可能となる。
【００６６】
図４ａは、外周シリンダ１０１の外観を示す図であり、図４ｂは、図４ａに示される外周シリンダを別の角度から見た図である。図４ｃと図４ｄは、外周シリンダ１０１の正面裏側の面の構成を説明する図であり、分かり易くするため、それぞれ仮想的に図４ａと図４ｂの外周シリンダ１０１の円筒部分が取り除かれた状態の図とされている。図４ｃと図４ｄに示されるように、外周シリンダ１０１の正面裏側の面は、その位置によって、形状が異なっており、内周シリンダの回動に伴ってサイドバー１５１−２が移動するとき、サイドバー１５１−２の前方（外周シリンダ１０１側）の端部が当接する位置に穴１０１ｆが設けられている。
【００６７】
鍵穴１０３ａに鍵の挿入部が挿入された状態で内周シリンダ１０３が反時計回りに所定の角度（例えば、１３５°）回動され、サイドバー１５１−１の後端部（スイッチケース１０２側の端部）が図３の穴１０２ｆと同じ位置まで移動したとき、サイドバー１５１−１の後端部が穴１０２ｆに挿入されて、サイドバー１５１−１が、鍵の挿入方向であってシリンダ錠の後方へ移動する。
【００６８】
また、このとき、サイドバー１５１−２の前端部（外周シリンダ１０１側の端部）が図４ｃまたは図４ｄの穴１０１ｆと同じ位置まで移動したとき、サイドバー１５１−２の前端部が穴１０１ｆに挿入されて、サイドバー１５１−２が、鍵の挿入方向であってシリンダ錠の前方へ移動する。
【００６９】
サイドバー１５１−１とサイドバー１５１−２の鍵の挿入方向の移動に伴って、タンブラプレート１３３−１乃至１３３−４とタンブラプレート１３３−２１乃至１３３−２４も、鍵の挿入方向の移動して、各タンブラプレートに係合していた開閉プレートは、それぞれタンブラプレートと当接しない状態となり、タンブラプレートと開閉プレートとの係合がそれぞれ解除される。これにより、シリンダ錠１００においてキーコードがリセットされた状態となる。
【００７０】
リセットが完了した状態で、新たな鍵を挿入し、内周シリンダ１０３を時計回りに回動させると、係合が解除されていた各タンブラプレートの係合ピンと、各開閉プレートの係合穴が、新たな鍵のキーコードに対応する位置で再び係合する。その結果、シリンダ錠１００に新たなキーコードを設定することができる。
【００７１】
なお、リセットは、鍵穴１０３ａに鍵の挿入部が挿入された状態で内周シリンダ１０３が反時計回りに所定の角度だけ回動されて、鍵の挿入部が外周シリンダの切り込み１０１ｈ−２に対応する位置に移動されたときのみ行うことが可能となる。鍵の挿入部が外周シリンダの切り込み１０１ｈ−２に対応する位置にない場合、鍵の挿入部の抜き差しができないからである。
【００７２】
また、図４ａ乃至図４ｄに示されるように、外周シリンダ１０１の内側の面には、サイドバー１５１−１またはサイドバー１５１−２と嵌合する凹部１０１ｄ−１乃至凹部１０１ｄ−３が、それぞれ溝状に構成されて設けられている。
【００７３】
シリンダ錠１００に正規の鍵が挿入されていない場合、サイドバー１５１−１は、外周シリンダ１０１の凹部１０１ｄ−１と嵌合しており、また、サイドバー１５１−２は、外周シリンダ１０１の凹部１０１ｄ−２と嵌合しており、内周シリンダ１０３を回動させることができないようになされている。
【００７４】
シリンダ錠１００に正規の鍵が挿入された場合、上述したように、サイドバー１５１−１の一部がタンブラプレート１３３−１乃至１３３−４の凹部１３３−１ａ乃至１３３−４ａに嵌合することにより、サイドバー１５１−１が鍵の挿入方向と直交する方向であって、シリンダ錠１００の内側方向（内周シリンダ１０３の回転軸に近づく方向）に移動可能となり、また、サイドバー１５２−１も同様に、シリンダ錠１００の内側方向（内周シリンダ１０３の回転軸に近づく方向）に移動可能となる。その結果、外周シリンダ１０１の内面に設けられた凹部１０１ｄ−１とサイドバー１５１−１との嵌合が解除され、また、凹部１０１ｄ−２とサイドバー１５１−２との嵌合が解除され、内周シリンダ１０３は回動可能となる。
【００７５】
また、シリンダ錠１００に、正規の鍵が挿入されて時計回りに９０°回転された場合、シリンダ錠１００が解錠されることになるが、このときサイドバー１５１−２が外周シリンダ１０１の内面に設けられた凹部１０１ｄ−３と嵌合することになる。これにより、シリンダ錠１００が解錠されたときに、鍵を通してユーザの手に伝わってくるクリック感が得られることになる。さらに、解錠された状態で内周シリンダや鍵などの位置を安定させることもでき、シリンダ錠１００が解錠された場合の電気信号の出力状態を安定的に保持できる。
【００７６】
次に、シリンダ錠１００が解錠される仕組みについて説明する。図５は、鍵が挿入されていない状態（すなわち施錠されている状態）のシリンダ錠１００の外観を示す図であり、図６は、図５の平面Ａにおけるシリンダ錠１００の断面図である。
【００７７】
図７は、図６の円Ａで囲まれた部分を拡大した図であり、図８は、図６の円Ｂで囲まれた部分を拡大した図である。図７に示されるように、タンブラプレート１３３−２１と開閉プレート１３１−２１は、上述したように係合ピン１３３−２１ｂ（または係合ピン１３３−２１ｃ）が、係合穴１３１−２１ａ（または係合穴１３１−２１ｂ）に係合することで、互いに当接する状態となっている。また、図８に示されるように、タンブラプレート１３３−１と開閉プレート１３１−１は、上述したように係合ピン１３３−１ｂ（または係合ピン１３３−１ｃ）が、係合穴１３１−１ａ（または係合穴１３１−１ｂ）に係合することで互いに当接する状態となっている。
【００７８】
図９は、鍵が挿入されていない状態（すなわち施錠されている状態）のシリンダ錠１００の正面図であり、図１０は、図９の状態のシリンダ錠１００を、所定の奥行方向の位置において切断した状態の断面図である。
【００７９】
図１０に示されるように、鍵が挿入されていない状態においては、開閉プレート１３１−１または１３１−２１は、図中下側に位置している。
【００８０】
この状態において、開閉プレート１３１−１または開閉プレート１３１−２１の上下方向の位置に伴って位置が定まるタンブラプレート１３３−１または１３３−２１も下側に位置しており、タンブラプレート１３３−１の凹部１３３−１ａは、サイドバー１５１−１の凸部１５１−１ａと図中上下方向の位置が一致しておらず、また、タンブラプレート１３３−２１の凹部１３３−２１ａは、サイドバー１５１−２の凸部１５１−２ａと図中上下方向の位置が一致していない。
【００８１】
なお、同図においては示されていないが、サイドバー１５１−１の図中左側の凸部１５１−１ａは、実際には、サイドバー１５１−２の図中右側の凸部１５１−２ａと同様の構成とされている。
【００８２】
また、この状態では、サイドバー１５１−１は、外周シリンダ１０１の内面に設けられた凹部１０１ｄ−１と嵌合しており、また、サイドバー１５１−２は、外周シリンダ１０１の内面に設けられた凹部１０１ｄ−２と嵌合しており、内周シリンダ１０３を回動させることはできない。
【００８３】
図１１に示されるように、シリンダ錠１００に鍵１９０（シリンダ錠１００を解錠できる正規の鍵）が挿入された場合、シリンダ錠１００の内部の各部の状態は、図１０に示される状態から図１２に示されるように変化する。
【００８４】
図１２は、図１０と同じ所定の奥行方向の位置におけるシリンダ錠１００の断面図であり、鍵１９０がシリンダ錠１００に挿入されている場合の断面図である。
【００８５】
同図においては、鍵１９０の挿入部１９１の両面に設けられた溝に開閉プレートの凸部１３１−１ｅまたは１３１−２１ｅが挿入された状態とされている。これにより、開閉プレート１３１−１または１３１−２１とともに、タンブラプレート１３３−１または１３３−２１が図中上下方向に移動する。いまの場合、図１０に示される状態と比較して、タンブラプレート１３３−１または１３３−２１が上側に移動しており、その結果、タンブラプレート１３３−１の凹部１３３−１ａは、サイドバー１５１−１の凸部１５１−１ａと図中上下方向の位置が一致し、また、タンブラプレート１３３−２１の凹部１３３−２１ａは、サイドバー１５１−２の凸部１５１−２ａと図中上下方向の位置が一致している。
【００８６】
なお、ここでは、タンブラプレート１３３−１と、タンブラプレート１３３−２１についてのみ説明したが、正規の鍵が挿入された場合、タンブラプレート１３３−２乃至１３３−４またはタンブラプレート１３３−２２乃至１３３−２４についても、凹部１３３−２ａ乃至１３３−４ａまたは凹部１３３−２２a乃至１３３−２４ａが、サイドバー１５１−１の凸部１５１−１ａまたはサイドバー１５１−２の凸部１５１−２ａと図中上下方向の位置がそれぞれ一致することになる。すなわち、正規の鍵のキーコードは、シリンダ錠１００に設定されているキーコードと一致するので、全てのタンブラプレートの凹部の位置がサイドバーの凸部の位置と一致するように移動される。
【００８７】
この状態であれば、サイドバー１５１−１の凸部１５１−１ａを、タンブラプレート１３３−１乃至１３３−４の凹部１３３−１ａ乃至１３３−４ａに嵌合させることにより、サイドバー１５１−１を鍵の挿入方向と直交する方向であって、シリンダ錠１００の内側方向（図中左側）に移動させることが可能となる。また、サイドバー１５１−２の凸部１５１−２ａを、タンブラプレート１３３−２１乃至１３３−２４の凹部１３３−２１ａ乃至１３３−２４ａに嵌合させることにより、サイドバー１５１−２を鍵の挿入方向と直交する方向であって、シリンダ錠１００の内側方向（図中右側）に移動させることが可能となる。
【００８８】
図１１に示される状態から、図１３に示されるように鍵１９０が時計回りに回動させると、シリンダ錠１００の内部の各部の状態は、図１２に示される状態から図１４に示されるように変化する。
【００８９】
図１４は、図１２（または図１０）と同じ所定の奥行方向の位置におけるシリンダ錠１００の断面図であり、鍵１９０が回動されている場合の断面図である。正規の鍵が挿入された場合、上述したように、全てのタンブラプレートの凹部の位置がサイドバーの凸部の位置と一致するように移動されるので、サイドバー１５１−１およびサイドバー１５１−２をシリンダ錠１００の内側方向に付勢すれば、サイドバー１５１−１およびサイドバー１５１−２が鍵の挿入方向と直交する方向であって、シリンダ錠１００の内側方向に移動して、外周シリンダ１０１の内面に設けられた凹部１０１ｄ−１および凹部１０１ｄ−２との嵌合が解除され、内周シリンダ１０３が回動可能となる。
【００９０】
すなわち、鍵１９０が回動させられると、それに伴って、内周シリンダ１０３も回動され、このとき、凹部１０１ｄ−１または１０１ｄ−２の形状に沿って、サイドバー１５１−１およびサイドバー１５１−２がシリンダ錠１００の内側方向に付勢されていくことになる。これにより、図１４に示されるように内周シリンダ１０３が回動される。
【００９１】
図１３に示される状態からさらに、図１５に示されるように鍵１９０が時計回りに回動させると、シリンダ錠１００の内部の各部の状態は、図１４に示される状態から図１６に示されるように変化する。図１５においては、図１１に示された状態から、鍵１９０が時計回りに９０°回転されたことになる。すなわち、図１５の状態でシリンダ錠１００は解錠され、コネクタ１１４ａから電気信号が出力される。
【００９２】
図１６は、図１４と同じ所定の奥行方向の位置におけるシリンダ錠１００の断面図であり、鍵１９０が時計回りに９０°回転された場合の断面図である。同図において、サイドバー１５１−１は、図１４の場合と同様に、鍵の挿入方向と直交する方向であって、シリンダ錠１００の内側方向に移動しているが、サイドバー１５１−２は、図１４の場合と異なり、シリンダ錠１００の内側方向に移動しておらず、外周シリンダ１０１の内面の凹部１０１ｄ−３と嵌合している。
【００９３】
すなわち、サイドバー１５１−２は、サイドバー用バネ１５２−１１およびサイドバー用バネ１５２−１２によって、鍵の挿入方向と直交する方向であって、外周シリンダ１０１の内面に設けられた凹部と嵌合する方向に付勢されているので、内周シリンダ１０３（鍵１９０）が時計回りに９０°回動されて外周シリンダ１０１の内面に設けられた凹部１０１ｄ−３に対応する位置まで移動させられたとき、サイドバー１５１−２が、鍵の挿入方向と直交する方向であって、外周シリンダ１０１の内面に設けられた凹部と嵌合する方向に移動し、凹部１０１ｄ−３と嵌合する。これにより、シリンダ錠１００が解錠されたときになされる、サイドバー１５１−２と凹部１０１ｄ−３との嵌合が、鍵を通してユーザの手にクリック感として伝わってくることになる。また、解錠された状態で内周シリンダ１０３や鍵１９０などの位置を安定させることもでき、シリンダ錠１００が解錠された場合の電気信号の出力状態を安定的に保持できる。
【００９４】
なお、正規の鍵１９０が挿入された状態では、上述したように、全てのタンブラプレートの凹部の位置がサイドバーの凸部の位置と一致するように移動されるので、サイドバー１５１−２は、シリンダ錠１００の内側方向に付勢されれば、鍵の挿入方向と直交する方向であって、シリンダ錠１００の内側方向に移動するので、外周シリンダ１０１の内面に設けられた凹部１０１ｄ−３との嵌合は解除される。従って、図１５または図１６に示される状態から、鍵１９０を反時計回りに回動させれば、内周シリンダ１０３が回動されて、シリンダ錠１００を再び施錠することができる。
【００９５】
また、図１６において、凹部１０１ｄ−３と向かい合う位置であって、サイドバー１５１−１と当接する位置に、凹部（溝）が設けられるようにしてもよい。
【００９６】
シリンダ錠１００が解錠されたとき、外周シリンダ１０１の内側の面においてサイドバーと当接する位置に設けられた凹部（凹部１０１ｄ−３）は、上述したようにクリック感を得るために設けられたものであり、例えば、凹部１０１ｄ−１および凹部１０１ｄ−２とは異なり、内周シリンダ１０３の回動を規制するために設けられたものではないので、解錠された状態でサイドバー１５１−１またはサイドバー１５１−２のいずれか一方と対応する位置に設けられるようにすれば足りる。
【００９７】
このように、本発明のシリンダ錠１００においては、クリック感を得るために、特に部品数を増やすことなく、サイドバーと外周シリンダの形状を利用してクリック感が得られるようにすることができ、また、シリンダ錠が解錠された場合、その解錠状態を保持することができる。
【図面の簡単な説明】
【００９８】
【図１】本発明のシリンダ錠の構成例を示す斜視図である。
【図２】図１のシリンダ錠を別の角度からみた斜視図である。
【図３】図１のシリンダ錠の構成を示す斜視図である。
【図４】外周シリンダの外観を示す斜視図である。
【図５】シリンダ錠の外観を示す斜視図である。
【図６】図５の平面Ａにおけるシリンダ錠の断面図である。
【図７】図６の一部を拡大した図である。
【図８】図６の一部を拡大した図である。
【図９】鍵が挿入されていない状態のシリンダ錠の正面図である。
【図１０】図９のシリンダ錠の断面図である。
【図１１】鍵が挿入された状態のシリンダ錠の斜視図である。
【図１２】図１１の状態でのシリンダ錠の断面図である。
【図１３】鍵が回動させられている状態のシリンダ錠の斜視図である。
【図１４】図１３の状態でのシリンダ錠の断面図である。
【図１５】解錠された状態のシリンダ錠の斜視図である。
【図１６】図１５の状態でのシリンダ錠の断面図である。
【符号の説明】
【００９９】
１００  シリンダ錠，
１０１  外周シリンダ，
１０１ｄ−１，１０１ｄ−２，１０１ｄ−３  凹部，
１０２  スイッチケース，
１０３  内周シリンダ，
１０３ａ  鍵穴，
１１１  ラチェットディスク，
１１２  バネ，
１１３  スイッチシリンダ，
１１４  スイッチ，
１１４ａ  コネクタ，
１３１−１乃至１３１−４  開閉プレート，
１３１−２１乃至１３１−２４  開閉プレート，
１３３−１乃至１３３−４  タンブラプレート，
１３３−２１乃至１３３−２４  タンブラプレート，
１５１−１，１５１−２  サイドバー，
１７１  安定ピン，
１７２  バネ，
１９０  鍵
【図１】
2008303611.tif 000003
【図２】
2008303611.tif 000004
【図３】
2008303611.tif 000005
【図４】
2008303611.tif 000006
【図５】
2008303611.tif 000007
【図６】
2008303611.tif 000008
【図７】
2008303611.tif 000009
【図８】
2008303611.tif 000010
【図９】
2008303611.tif 000011
【図１０】
2008303611.tif 000012
【図１１】
2008303611.tif 000013
【図１２】
2008303611.tif 000014
【図１３】
2008303611.tif 000015
【図１４】
2008303611.tif 000016
【図１５】
2008303611.tif 000017
【図１６】
2008303611.tif 000018